(57)【要約】【課題】画像に関係のない不要な発光を減じることにより、画像のコントラストを改善することができ、したがって、表示面の高品質化を図ることが可能なプラズマディスプレイ及びその駆動方法を提供する。【解決手段】本発明のプラズマディスプレイ１は、１対のガラス基板２、３を対向配置し、一方のガラス基板３の内表面にストライプ状の電極４Ａ、４Ｂを形成し、これら電極４Ａ、４Ｂの両外側に全面放電用電極５、５を互いに平行に形成し、他方のガラス基板２の内表面に、電極４Ａ、４Ｂと直交する複数の隔壁８、…を形成し、これら隔壁８、８及び凹部７ａにより囲まれた領域を放電セル７とし、放電セル７内にアドレス電極１１、誘電体層１２及び蛍光体１３を積層したことを特徴とする。【選択図】　図１
2004134178.tif 000002
【特許請求の範囲】
【請求項１】
１対の基板が互いに対向配置され、これらの基板のうち一方の基板の一主面に一対のストライプ状電極からなる第１の電極が複数、互いに平行に形成されるとともに、他方の基板の対向する側の一主面に前記第１の電極に直交する複数のストライプ状の第２の電極が互いに平行に形成され、これら第２の電極それぞれの間には隔壁が形成され、これら隔壁により画成されたそれぞれの凹部が放電セルとされたプラズマディスプレイにおいて、
互いに隣接する２つの前記第１の電極の間には、該第１の電極に平行にストライプ状の第３の電極が形成されてなることを特徴とするプラズマディスプレイ。
【請求項２】
前記第３の電極は、前記放電セル内の残留電荷消去用の電圧を印加するための電極であることを特徴とする請求項１記載のプラズマディスプレイ。
【請求項３】
前記第３の電極と隣接する前記第１の電極との間隔は、前記第３の電極の幅より狭いことを特徴とする請求項１または２記載のプラズマディスプレイ。
【請求項４】
前記第３の電極の前記放電セル側の表面には、遮光膜が形成されてなることを特徴とする請求項１、２または３記載のプラズマディスプレイ。
【請求項５】
前記第３の電極は、導電性及び遮光性を有することを特徴とする請求項１、２または３記載のプラズマディスプレイ。
【請求項６】
請求項１ないし５のいずれか１項記載のプラズマディスプレイの駆動方法であって、
前記第１の電極に電圧を印加して放電させ発光させた後、前記第３の電極に前記電圧より高い電圧を印加して放電を生じさせ、前記放電セル内の残留電荷を消去することを特徴とするプラズマディスプレイの駆動方法。
【発明の詳細な説明】
【０００１】
【発明の属する技術分野】
本発明は、プラズマディスプレイ及びその駆動方法に係り、特に、画像表示に不要な発光を低減させることにより、画像のコントラストを改善することが可能なプラズマディスプレイ及びその駆動方法に関するものである。
【０００２】
【従来の技術】
近年、ハイビジョン用の大画面、高画質の表示デバイスとしてプラズマディスプレイ（ＰＤＰ）が注目されている。
このプラズマディスプレイは、１対の基板を対向配置し、一方の基板の内表面に複数のストライプ状の第１の電極を形成するとともに、他方の基板の内表面に前記第１の電極に直交する複数のストライプ状の第２の電極を形成し、これら第２の電極間に隔壁を形成し、これら隔壁により画成された凹部を放電セルとした構造のもので、自然な階調表示が得られ、色再現性、応答性がよく、比較的安価に大型化ができるという様々な特徴を有する。
【０００３】
図７は、従来のＡＣ型プラズマディスプレイ（ＡＣ−ＰＤＰ）を示す分解斜視図である。このプラズマディスプレイ１００は、２枚のガラス基板１０１、１０２が互いに対向配置され、前面側のガラス基板１０２の内表面（ガラス基板１０１に対向する側の一主面）には、インジウム添加酸化スズ（ＩＴＯ：Ｉｎｄｉｕｍ　ＴｉｎＯｘｉｄｅ）、ＳｎＯ２等の透明導電材料からなるストライプ状の複数の共通電極１０４Ａ及び走査電極１０４Ｂが互いに平行に形成され、これら共通電極１０４Ａ及び走査電極１０４Ｂは透明な誘電体層１０３により覆われ、さらにこの誘電体層１０３は、ＭｇＯ等からなる透明な保護膜（図示略）により覆われている。
【０００４】
一方、背面側のガラス基板１０１の内表面（ガラス基板１０２に対向する側の一主面）には、ガス放電を行う空間である放電セル１０７を形成するために、上述した共通電極１０４Ａ及び走査電極１０４Ｂと交差する方向に、所定の高さを有する複数の隔壁１０８がストライプ状に形成され、これらの隔壁１０８、１０８、…により凹部１０７ａが形成され、これら隔壁１０８、１０８及び凹部１０７ａにより囲まれた領域がガス放電を行う空間である溝状の放電セル１０７とされている。また、隔壁１０８はガラス基板１０１と一体形成されている。
それぞれの凹部１０７ａには、上述した共通電極１０４Ａ及び走査電極１０４Ｂに直交するようにストライプ状のアドレス電極１０６が形成され、これらのアドレス電極１０６、１０６、…は反射率の高い誘電体層１０５で覆われ、この誘電体層１０５上には、３原色である赤（Ｒ）、緑（Ｇ）、青（Ｂ）のうちいずれかの色を発光する蛍光体１０９が積層されている。
【０００５】
このプラズマディスプレイ１００の表示面では、図８に示すように、上記の共通電極１０４Ａ及び走査電極１０４Ｂは、交互に配置されている。
この図では、表示面中の１つの放電セル１０７における共通電極１０４ＡをＸｎ、走査電極１０４ＢをＹｎ、隣接する一方（図中上方）の放電セル１０７における走査電極１０４ＢをＹｎ−１、隣接する他方（図中下方）の放電セル１０７における共通電極１０４ＡをＸｎ＋１としている。また、１つの放電セル１０７内の３つのアドレス電極１０６には、赤（Ｒ）、緑（Ｇ）、青（Ｂ）のうちいずれかの色がそれぞれ対応するようになっている。
そして、これらガラス基板１０１、１０２を互いに対向させて、各放電セル１０７、１０７、…の内部に１４７ｎｍのＸｅ共鳴放射光を利用するＮｅ−Ｘｅ、Ｈｅ−Ｘｅ等の混合ガスを封入した状態で、周囲をシールガラス等により封着した構成になっている。
【０００６】
次に、このプラズマディスプレイ１００の放電セル１０７における発光動作について図９〜図１１に基づき説明する。
この発光動作は、下記の（１）〜（３）のステップを順次行うことにより実施される。
（１）全面消去放電
各放電セル１０７において安定した書き込みを得るために行う動作で、共通電極Ｘｎ−１、Ｘｎ、Ｘｎ＋１、…に書き込みパルス電圧や維持放電パルス電圧より電圧値が高い全面放電パルス電圧Ｖｓを印加し、共通電極Ｘｎ−１、Ｘｎ、Ｘｎ＋１、…と走査電極Ｙｎ−１、Ｙｎ、Ｙｎ＋１、…とが直ちに同電位になるようにする。これにより、全面放電パルス電圧Ｖｓにより放電セル１０７内に強い放電ｄが生じ、この放電ｄにより、放電セル１０７内に蓄積された電荷による二次的な強い放電が生じ、放電セル１０７内の蓄積電荷が消去される。
【０００７】
（２）書き込み
選択された放電セル１０７に所望の書き込みを行う動作で、走査電極Ｙｎ−１、Ｙｎ、Ｙｎ＋１、…とアドレス電極１０６との間に、全面放電パルス電圧Ｖｓより実効電圧値が低い交流の書き込みパルス電圧Ｖｒを印加し、放電セル１０７内に強い放電を生じさせる。この放電により、放電セル１０７内にプラズマが形成され、このプラズマから照射される紫外線（ＵＶ）により蛍光体１０９が励起され、光が発生する。
（３）維持放電
上記の書き込み動作により生じた放電セル１０７からの発光を所定時間維持する動作で、共通電極Ｘｎ−１、Ｘｎ、Ｘｎ＋１、…と、走査電極Ｙｎ−１、Ｙｎ、Ｙｎ＋１、…とに、交互に維持放電パルス電圧Ｖｐを印加することにより、放電セル１０７からの発光を所定時間維持する。
【０００８】
このプラズマディスプレイ１００では、上記のステップ（１）〜（３）を繰り返し行うことで所望の画像表示がなされるようになっている。
なお、プラズマディスプレイの駆動方法としては、アドレス及び維持放電が単位サブフィールドで遂行されるようにしたアドレス／表示分離駆動方式等が提案されている（例えば、特許文献１、特許文献２等参照）。
【０００９】
【特許文献１】
特開２０００−４７６３３号公報（第３頁、第３図）
【特許文献２】
特開２００２−１３２２１６号公報（第５頁、第１図）
【００１０】
【発明が解決しようとする課題】
ところで、プラズマディスプレイにおいては、本来の画像表示に必要な発光は維持放電による発光であり、全面消去放電や書き込みによる発光は画像表示に必要ないものであるが、現実には、全面消去放電や書き込みによる発光が表示面に現れており、画像のコントラストを低下させる一因になっている。
例えば、図１０及び図１１に示すように、全面消去放電において、共通電極Ｘｎ−１、Ｘｎ、Ｘｎ＋１、…と走査電極Ｙｎ−１、Ｙｎ、Ｙｎ＋１、…との間に全面放電パルス電圧Ｖｓを印加した場合、共通電極Ｘｎ−１（Ｘｎ、Ｘｎ＋１）と走査電極Ｙｎ−１（Ｙｎ、Ｙｎ＋１）との間の放電ｄにより発光Ｌが生じる。この発光Ｌは、共通電極Ｘｎ−１（Ｘｎ、Ｘｎ＋１）と走査電極Ｙｎ−１（Ｙｎ、Ｙｎ＋１）との隙間から外部に漏れることとなるが、その光強度（光量）が大きいために、維持放電による発光を阻害し、画像のコントラストを低下させることとなる。
【００１１】
本発明は、上記の事情に鑑みてなされたものであって、画像に関係のない不要な発光を減じることにより、画像のコントラストを改善することができ、したがって、表示面の高品質化を図ることが可能なプラズマディスプレイ及びその駆動方法を提供することを目的とする。
【００１２】
【課題を解決するための手段】
上記課題を解決するために、本発明は次のようなプラズマディスプレイ及びその駆動方法を採用した。
すなわち、本発明の請求項１記載のプラズマディスプレイは、１対の基板が互いに対向配置され、これらの基板のうち一方の基板の一主面に一対のストライプ状電極からなる第１の電極が複数、互いに平行に形成されるとともに、他方の基板の対向する側の一主面に前記第１の電極に直交する複数のストライプ状の第２の電極が互いに平行に形成され、これら第２の電極それぞれの間には隔壁が形成され、これら隔壁により画成されたそれぞれの凹部が放電セルとされたプラズマディスプレイにおいて、互いに隣接する２つの前記第１の電極の間には、該第１の電極に平行にストライプ状の第３の電極が形成されてなることを特徴とする。
【００１３】
このプラズマディスプレイでは、互いに隣接する２つの前記第１の電極の間に、該第１の電極に平行なストライプ状の第３の電極を形成したことにより、この第３の電極に電圧を印加した場合に生じる発光は、第１及び第３の電極によりその光の多くが遮られるために、その光強度（光量）が低減され、したがって、外部へ漏れる光の強度（光量）が低減される。これにより、画像に関係のない不要な発光を減じることが可能になり、画像のコントラストが改善され、表示面の高品質化が図られる。
【００１４】
請求項２記載のプラズマディスプレイは、請求項１記載のプラズマディスプレイにおいて、前記第３の電極は、前記放電セル内の残留電荷消去用の電圧を印加するための電極であることを特徴とする。
【００１５】
請求項３記載のプラズマディスプレイは、請求項１または２記載のプラズマディスプレイにおいて、前記第３の電極と隣接する前記第１の電極との間隔は、前記第３の電極の幅より狭いことを特徴とする。
【００１６】
このプラズマディスプレイでは、前記第３の電極と隣接する前記第１の電極との間隔を、前記第３の電極の幅より狭くしたことにより、この第３の電極に電圧を印加した場合に生じる発光は、第１及び第３の電極によりその光量の多くが遮られ、外部へ漏れる光量が大幅に低減される。これにより、画像に関係のない不要な発光を大幅に減じることが可能になり、画像のコントラストがさらに改善され、表示面のさらなる高品質化が図られる。
【００１７】
請求項４記載のプラズマディスプレイは、請求項１、２または３記載のプラズマディスプレイにおいて、前記第３の電極の前記放電セル側の表面には、遮光膜が形成されてなることを特徴とする。
【００１８】
このプラズマディスプレイでは、前記第３の電極の前記放電セル側の表面に遮光膜を形成したことにより、この第３の電極に電圧を印加した場合に生じる発光は、この第３の電極の遮光膜により良好に遮られ、外部へ漏れる光量が大幅に低減される。これにより、画像に関係のない不要な発光を大幅に減じることが可能になり、画像のコントラストがさらに改善され、表示面のさらなる高品質化が図られる。
【００１９】
請求項５記載のプラズマディスプレイは、請求項１、２または３記載のプラズマディスプレイにおいて、前記第３の電極は、導電性及び遮光性を有することを特徴とする。
【００２０】
このプラズマディスプレイでは、前記第３の電極が導電性及び遮光性を有することにより、この第３の電極に電圧を印加した場合に生じる発光は、この第３の電極自体の有する遮光性により良好に遮られ、外部へ漏れる光量が大幅に低減される。これにより、画像に関係のない不要な発光を大幅に減じることが可能になり、画像のコントラストがさらに改善され、表示面のさらなる高品質化が図られる。
【００２１】
請求項６記載のプラズマディスプレイの駆動方法は、請求項１ないし５のいずれか１項記載のプラズマディスプレイの駆動方法であって、前記第１の電極に電圧を印加して放電させ発光させた後、前記第３の電極に前記電圧より高い電圧を印加して放電を生じさせ、前記放電セル内の残留電荷を消去することを特徴とする。
【００２２】
このプラズマディスプレイの駆動方法では、前記第１の電極に電圧を印加して放電させ発光させた後、前記第３の電極に前記電圧より高い電圧を印加して放電を生じさせ、前記放電セル内の残留電荷を消去することにより、残留電荷を消去する際に発生する不要な発光を前記第１及び第３の電極により遮り、外部へ漏れる光量を低減する。これにより、残留電荷を消去する際に発生する画像に関係のない不要な発光を減じ、画像のコントラストを改善する。
【００２３】
【発明の実施の形態】
本発明のプラズマディスプレイ及びその駆動方法の一実施の形態について図面に基づき説明する。
図１は、本実施形態のプラズマディスプレイの部分分解斜視図である。なお、図１に示すプラズマディスプレイは一例であり、本発明はこのプラズマディスプレイに限定されるものではない。
【００２４】
このプラズマディスプレイ１は、１対のガラス基板２、３が互いに対向配置され、前面側のガラス基板３の内表面（ガラス基板２に対向する側の一主面）には、インジウム添加酸化スズ（ＩＴＯ：Ｉｎｄｉｕｍ　Ｔｉｎ　Ｏｘｉｄｅ）、ＳｎＯ２等の透明導電材料からなる互いに平行とされたストライプ状電極の共通電極４Ａ及び走査電極４Ｂからなる駆動用電極（第１の電極）４が形成され、この駆動用電極４と、隣接する駆動用電極（図示せず）それぞれとの間には、この駆動用電極４に平行にストライプ状の全面放電用電極（第３の電極）５が形成され、これら全面放電用電極５、５は、隣接するそれぞれの駆動用電極と共通である。
【００２５】
このガラス基板３の内表面においては、共通電極４Ａ及び走査電極４Ｂからなる駆動用電極４と、全面放電用電極５とは、互いに平行にかつ、その短辺方向に交互に形成されている。これら駆動用電極４と全面放電用電極５とは、透明な誘電体層６により覆われ、さらにこの誘電体層６は、ＭｇＯ等からなる透明な保護膜（図示略）により覆われている。
【００２６】
一方、背面側のガラス基板２の内表面（ガラス基板３に対向する側の一主面）には、ガス放電を行う空間である放電セル７を形成するために、上述した駆動用電極４及び全面放電用電極５の延在方向と交差する方向に、所定の高さを有する複数の隔壁８がストライプ状に形成され、これらの隔壁８、８、…により挟まれる領域が凹部７ａとされ、これら隔壁８、８及び凹部７ａにより囲まれた空間領域がガス放電を行う空間である溝状の放電セル７とされている。
隔壁８、８、…は、ガラス基板２とは異なる別部材により構成されていてもよいが、プラズマディスプレイ１の製造工程を簡略化するために、図１に示すように、ガラス基板２と一体形成されていることが望ましい。
【００２７】
各放電セル７内、すなわち凹部７ａ内には、上述した駆動用電極４及び全面放電用電極５に直交しかつ凹部７ａの底面に沿う帯状のアドレス電極（第２の電極）１１が形成され、これらのアドレス電極１１、１１、…は反射率の高い誘電体層１２で覆われ、各誘電体層１２上には、３原色である赤（Ｒ）、緑（Ｇ）、青（Ｂ）のうちいずれかの色を発光する蛍光体１３が積層されている。
【００２８】
上記の全面放電用電極５は、ＩＴＯ、ＳｎＯ２等の透明導電材料からなるストライプ状の電極部１５と、この電極部１５の放電セル７側の表面に形成された遮光膜１６とにより構成されている。
ここでは、全面放電用電極５を電極部１５と遮光膜１６との２層構造としたが、導電性及び遮光性を有する単一の物質からなる単層構造としてもよい。
【００２９】
上記の放電セル７からの不要な発光を遮るために、全面放電用電極５と、共通電極４Ａ及び走査電極４Ｂとの間隔（ｄ）は、この不要な発光の光強度（または光量）を十分低減することができる程度に狭いことが好ましい。
このプラズマディスプレイ１の表示面では、図２に示すように、共通電極４Ａ及び走査電極４Ｂからなる駆動用電極４と、全面放電用電極５とは、交互に配置されている。
【００３０】
この図では、表示面中の１つの放電セル７における共通電極４ＡをＸｎ、走査電極４ＢをＹｎ、共通電極４Ａの外側に位置する全面放電用電極５をＺｎ、走査電極４Ｂの外側に位置する全面放電用電極５をＺｎ＋１、隣接する一方（図中上方）の放電セル７における走査電極４ＢをＹｎ−１、隣接する他方（図中下方）の放電セル７における共通電極４ＡをＸｎ＋１とし、Ｚｎ及びＺｎ＋１は隣接する放電セルと共通である。また、１つの放電セル７内の３つのアドレス電極１１には、赤（Ｒ）、緑（Ｇ）、青（Ｂ）のうちいずれかの色がそれぞれ対応するようになっている。
そして、これらガラス基板２、３を互いに対向させて、各放電セル７、７、…の内部に１４７ｎｍのＸｅ共鳴放射光を利用するＮｅ−Ｘｅ、Ｈｅ−Ｘｅ等の混合ガスを封入した状態で、周囲をシールガラス等により封着した構成になっている。
【００３１】
このプラズマディスプレイ１には、図３に示すように、共通電極４Ａ及び全面放電用電極５を駆動する駆動回路２１と、走査電極４Ｂを駆動する駆動回路２２が、それぞれケーブル２３を介して接続されている。この駆動回路２１には、複数本の共通電極４Ａを一括駆動するＸドライバ３１及び複数本の全面放電用電極５を一括駆動するＺドライバ３２が設けられ、一方、駆動回路２２には、複数本の走査電極４Ｂを個々に駆動するためのＹドライバ３３ａ、３３ｂ、…がそれぞれの走査電極４Ｂに対応して走査電極４Ｂの数だけ設けられている。
【００３２】
次に、このプラズマディスプレイ１の放電セル７における発光動作について図４〜図６に基づき説明する。
この発光動作は、下記の（１）〜（３）のステップを順次行うことにより実施される。
【００３３】
（１）全面消去放電
全面放電用電極Ｚｎ、Ｚｎ＋１、…に書き込みパルス電圧や維持放電パルス電圧より電圧値が高い全面放電パルス電圧Ｖｓを印加し、全面放電用電極Ｚｎ、Ｚｎ＋１、…と、共通電極Ｘｎ−１、Ｘｎ、Ｘｎ＋１、…と走査電極Ｙｎ−１、Ｙｎ、Ｙｎ＋１、…とが直ちに同電位になるようにする。この場合、印加される全面放電パルス電圧Ｖｓにより、全面放電用電極Ｚｎと共通電極Ｘｎ及び走査電極Ｙｎ−１との間、全面放電用電極Ｚｎ＋１と共通電極Ｘｎ＋１及び走査電極Ｙｎとの間、…に強い放電ｄが生じ、この放電ｄにより、放電セル７内に蓄積された電荷による二次的な強い放電が生じ、放電セル７内の蓄積電荷が消去される。
一方、共通電極Ｘｎ−１と走査電極Ｙｎ−１との間、共通電極Ｘｎと走査電極Ｙｎとの間、共通電極Ｘｎ＋１と走査電極Ｙｎ＋１との間、…には放電は生じない。
【００３４】
上記の放電ｄにより、全面放電用電極Ｚｎと共通電極Ｘｎ及び走査電極Ｙｎ−１との間、全面放電用電極Ｚｎ＋１と共通電極Ｘｎ＋１及び走査電極Ｙｎとの間、…に強い発光Ｌが生じるが、全面放電用電極Ｚｎと共通電極Ｘｎ及び走査電極Ｙｎ−１との間、全面放電用電極Ｚｎ＋１と共通電極Ｘｎ＋１及び走査電極Ｙｎとの間、…の間隔が、この不要な発光Ｌの光強度（または光量）を十分低減することができる程度に狭くなっているので、この発光Ｌが上記の間隔を通って外部に漏れた光の光強度（光量）は低下することとなる。
これにより、画像に対して不要な発光Ｌが外部に漏れた場合の光強度（光量）は、画像に対して影響を及ぼさない程度まで低減されることとなり、維持放電による発光を阻害する虞がなくなり、画像のコントラストを低下させる虞もなくなる。
【００３５】
（２）書き込み
走査電極Ｙｎ−１、Ｙｎ、Ｙｎ＋１、…とアドレス電極１１との間に、全面放電パルス電圧Ｖｓより実効電圧値が低い交流の書き込みパルス電圧Ｖｒを印加し、放電セル７内に強い放電を生じさせる。この放電により、放電セル７内にプラズマが形成され、このプラズマから照射される紫外線（ＵＶ）により蛍光体１３が励起され、光が発生する。これにより、選択された放電セル７に所望の書き込みを行うことができる。
【００３６】
（３）維持放電
共通電極Ｘｎ−１、Ｘｎ、Ｘｎ＋１、…と、走査電極Ｙｎ−１、Ｙｎ、Ｙｎ＋１、…とに、交互に維持放電パルス電圧Ｖｐを印加することにより、放電セル７からの発光を所定時間維持する。これにより、上記の書き込み動作により生じた放電セル７からの発光を所定時間維持することができる。
上記のステップ（１）〜（３）を繰り返し行うことで、プラズマディスプレイ１の画像表示面に所望の画像表示を行うことができる。
【００３７】
本実施形態のプラズマディスプレイ１によれば、ストライプ状電極の共通電極４Ａ及び走査電極４Ｂからなる駆動用電極４と、隣接する駆動用電極との間に、この駆動用電極４に平行にストライプ状の全面放電用電極５を形成したので、全面放電用電極５に電圧を印加した場合に生じる発光を、全面放電用電極５及び駆動用電極４によりその多くを遮り、その光強度（光量）を低減することができ、外部へ漏れる光の強度（光量）を低減することができ、画像に関係のない不要な発光を減じることができる。したがって、画像のコントラストを改善することができ、表示面の高品質化を図ることができる。
【００３８】
本実施形態のプラズマディスプレイ１の駆動方法によれば、全面放電用電極Ｚｎ、Ｚｎ＋１、…に全面放電パルス電圧Ｖｓを印加し、生じる放電ｄにより放電セル７内の蓄積電荷を消去するので、残留電荷を消去する際に発生する不要な発光の光量を低減することができ、残留電荷を消去する際に発生する不要な発光を減じることができ、画像のコントラストを改善することができる。
【００３９】
以上、本発明の一実施の形態について図面に基づき説明してきたが、具体的な構成は上述した一実施の形態に限定されるものではなく、本発明の要旨を逸脱しない範囲で設計の変更等が可能である。
【００４０】
【発明の効果】
以上説明した様に、本発明のプラズマディスプレイによれば、互いに隣接する２つの前記第１の電極の間に、該第１の電極に平行にストライプ状の第３の電極を形成したので、この第３の電極に電圧を印加した場合に生じる発光が外部へ漏れた場合の光の強度（光量）を低減することができる。したがって、画像に関係のない不要な発光を減じることができ、画像のコントラストを改善することができ、表示面の高品質化を図ることができる。
【００４１】
本発明のプラズマディスプレイの駆動方法によれば、前記第１の電極に電圧を印加して放電させ発光させた後、前記第３の電極に前記電圧より高い電圧を印加して放電を生じさせ、前記放電セル内の残留電荷を消去するので、残留電荷を消去する際に発生する不要な発光が外部へ漏れた場合の光量を容易に低減することができる。したがって、残留電荷を消去する際に発生する画像に関係のない不要な発光を簡単な構成でしかも容易に減じることができ、画像のコントラストを容易に改善することができる。
【図面の簡単な説明】
【図１】本発明の一実施の形態のプラズマディスプレイを示す部分分解斜視図である。
【図２】本発明の一実施の形態のプラズマディスプレイの表示面における電極の配置を示す平面図である。
【図３】本発明の一実施の形態のプラズマディスプレイの駆動回路を示す構成図である。
【図４】本発明の一実施の形態のプラズマディスプレイの駆動方法における電圧の波形を示す波形図である。
【図５】本発明の一実施の形態のプラズマディスプレイの全面消去放電の様を示す断面図である。
【図６】本発明の一実施の形態のプラズマディスプレイの全面消去放電の様を示す平面図である。
【図７】従来のプラズマディスプレイを示す部分分解斜視図である。
【図８】従来のプラズマディスプレイの表示面における電極の配置を示す平面図である。
【図９】従来のプラズマディスプレイの駆動方法における電圧の波形を示す波形図である。
【図１０】従来のプラズマディスプレイの全面消去放電の様を示す断面図である。
【図１１】従来のプラズマディスプレイの全面消去放電の様を示す平面図である。
【符号の説明】
１　プラズマディスプレイ
２、３　ガラス基板
４　駆動用電極（第１の電極）
４Ａ　走査電極
４Ｂ　維持電極
５　全面放電用電極（第３の電極）
６　誘電体層
７　放電セル
７ａ　凹部
８　隔壁
１１　アドレス電極（第２の電極）
１２　誘電体層
１３　蛍光体
１５　電極部
１６　遮光膜
【図１】
2004134178.tif 000003
【図２】
2004134178.tif 000004
【図３】
2004134178.tif 000005
【図４】
2004134178.tif 000006
【図５】
2004134178.tif 000007
【図６】
2004134178.tif 000008
【図７】
2004134178.tif 000009
【図８】
2004134178.tif 000010
【図９】
2004134178.tif 000011
【図１０】
2004134178.tif 000012
【図１１】
2004134178.tif 000013